(57)【要約】【課題】給水流路内のフィルタ部の掃除後、フィルタの付け忘れを防止すること。【解決手段】給水電磁弁２００の給水口２０１にめねじを形成した電磁弁ねじ部２０２と、給水ホース１５０のジョイント部１５１にめねじを形成したジョイントねじ部１５２とを、外側におねじを形成した継手ねじ部１０３で螺合接続する略円筒状の継手１０１を設けるとともに、異物捕集用として継手１０１内部に継手フィルタ１０４を設ける構成とすることにより、水道から給水される水は、必ず継手１０１内の継手フィルタ１０４を通過することになると共に、継手フィルタ１０４の掃除後、継手フィルタ１０４の付け忘れを防止することができる。【選択図】図２
2017158673.tif 000002
【特許請求の範囲】
【請求項１】
洗濯機本体と、
前記洗濯機本体に防振支持された水槽と、
前記水槽内に回転自在に配した洗濯兼脱水槽と、
前記本体上部に設けられた上部枠体と、
前記上部枠体後部に設けられ前記水槽内への給水量を制御する給水電磁弁と、
前記洗濯兼脱水槽を回転駆動するモータと、
前記モータ、前記給水電磁弁等を制御し、洗い、すすぎ、脱水の一連の工程を逐次制御する制御手段とを備え、
前記給水電磁弁の給水口にめねじを形成した電磁弁ねじ部と、前記給水ホースのジョイント部にめねじを形成したジョイントねじ部とを、外側におねじを形成した継手ねじ部で螺合接続する略円筒状の継手を設けるとともに、
前記継手の内部に異物捕集用として網目状の継手フィルタを設けた洗濯機。
【請求項２】
前記継手フィルタは、金属製で形成され、前記継手の内部に圧入されて前記継手と一体構成された請求項１に記載の洗濯機。
【請求項３】
前記継手フィルタは、金属製で形成され、合成樹脂製の前記継手の内部にインサート成形された請求項１に記載の洗濯機。
【請求項４】
前記継手フィルタは、合成樹脂製の前記継手と同一樹脂で一体成形された請求項１に記載の洗濯機。
【発明の詳細な説明】
【技術分野】
【０００１】
本発明は、洗い、すすぎ、脱水行程を行う洗濯機に関するものである。
【背景技術】
【０００２】
従来、この種の洗濯機は、給水を自動で行うための給水電磁弁を有しており、水道管から出た鉄錆等の異物を捕集するため、給水電磁弁を含めた給水経路内にフィルタを設ける構成が提案されてきた（例えば、特許文献１参照）。
【０００３】
図４は、特許文献１に記載された従来の洗濯機の給水電磁弁３１６の断面図である。以下に、図４を用いて給水電磁弁３１６について説明する。
【０００４】
図４において、給水電磁弁３１６の上流部には、給水口３０１、孔３０３を有するフロコン３０２、及びフロコン３０２を収納するフロコンケース３０４が設けられている。また、フロコンケース３０４の上流側には、第１の給水フィルタ３０５が配設されており、フロコンケース３０４の下流側に第２の給水フィルタ３０６が配設されている。
【０００５】
第１の給水フィルタ３０５、フロコンケース３０４、及び第２の給水フィルタ３０６は、着脱可能となっている。
【０００６】
また、給水弁３１６の内部には、給水された水の流入を調整する膜であるダイヤフラム３１０が、ダイヤフラム受３１５と係合した状態で配設されている。
【０００７】
また、ダイヤフラム３１０の矢印Ｂ方向には、ダイヤフラム３１０を開閉する鉄製のプランジャ３０８が配設されている。プランジャ３０８の周囲には、プランジャ３０８を矢印Ｂ方向に移動させるコイル３０７が巻かれており、プランジャ３０８を図３中の矢印Ａ方向へ付勢する押しバネ３０９が配設されている。
【０００８】
ダイヤフラム３１０の上流側には、背面室３１２が形成されている。また、ダイヤフラム３１０及びダイヤフラム受３１５を貫通する給水孔３１４が形成され、給水口３０１から給水された水は、給水孔３１４から背面室３１２に流入する。
【０００９】
ダイヤフラム３１０の下流には吐出口３１１が形成されている。また、ダイヤフラム３１０及びダイヤフラム受３１５の一部には排水孔３１３が形成されており、排水孔３１３によって、吐出口３１１と背面室３１２が連通している。
【００１０】
以上の構成により、従来技術の給水電磁弁の動作を以下に説明する。
【００１１】
蛇口から給水された水は、給水ホース（図示せず）を介して給水口３０１に流入する。給水口３０１に流入した水は、第１の給水フィルタ３０５、フロコンケース３０４、第２の給水フィルタ３０６を通過し、給水孔３１４から背面室３１２に流入する。
【００１２】
コイル３０７に電流が流れていない場合、プランジャ３０８は押しバネ３０９により図３中の矢印Ａ方向に付勢され、プランジャ３０８によってダイヤフラム受３１５の排水孔３１３を塞いでいる。また、給水された水は背面室３１２に溜まることで、背面室３１２内の水圧が上昇するため、ダイヤフラム３１０に対する矢印Ａの方向への圧力が増大する。そのため、給水された水が吐出口３１１へ流入することを防止する。
【００１３】
コイル３０７に電流が流れると、発生する磁界により、プランジャ３０８は押しバネ３０９に抗して図４中の矢印Ｂ方向へ移動する。プランジャ３０８が矢印Ｂ方向へ移動することにより、排水孔３１３が開放されるため、背面室３１２内の水は排水孔３１３から吐出口３１１へ流れる。そして、背面室３１２の水圧の低下により、ダイヤフラム３１０は、矢印Ｂ方向へ移動する。このため、給水口３０１から給水された水は、吐出口３１１から水槽内に流入する。
【００１４】
洗濯機を繰り返し使用すると、第１の給水フィルタ３０５、第２の給水フィルタ３０６には、鉄錆等の汚れが付着する。そのため、定期的に給水電磁弁３１６から第１の給水フィルタ３０５及び第２の給水フィルタ３０６を取り外し、掃除をする必要がある。
【先行技術文献】
【特許文献】
【００１５】
【特許文献１】特開平２−２６６１８０号公報
【発明の概要】
【発明が解決しようとする課題】
【００１６】
しかしながら、前記従来の構成では、給水フィルタを掃除後、給水フィルタの付け忘れが想定され得る。給水フィルタの付け忘れにより、給水時に鉄錆等の汚れが濾過されることなく、そのまま洗濯機本体内に流入し、洗濯物等に汚れが付着する問題が生じ得る。また、水道管の品質や水質が悪く、水中に異物が多い場合には、頻繁に給水弁のフィルタ掃除が必要となるため、給水フィルタを付け忘れる問題が顕著となる。
【００１７】
本発明は、上記従来の課題を解決するもので、給水フィルタの付け忘れを抑制し得る洗濯機を提供する。
【課題を解決するための手段】
【００１８】
上記目的を達成するために、本発明の洗濯機は、洗濯機本体と、前記洗濯機本体に防振支持された水槽と、前記水槽内に回転自在に配した洗濯兼脱水槽と、前記本体上部に設けられた上部枠体と、前記上部枠体後部に設けられ前記水槽内への給水量を制御する給水電磁弁と、前記洗濯兼脱水槽を回転駆動するモータと、前記モータ、前記給水電磁弁等を制御し、洗い、すすぎ、脱水の一連の工程を逐次制御する制御手段とを備え、前記給水電磁弁の給水口にめねじを形成した電磁弁ねじ部と、前記給水ホースのジョイント部にめねじを形成したジョイントねじ部とを、外側におねじを形成した継手ねじ部で螺合接続する略円筒状の継手を設けるとともに、前記継手の内部に異物捕集用として網目状の継手フィルタを設ける構成としたものである。
【００１９】
これによって、給水流路内のフィルタ部の掃除後、フィルタ部の付け忘れを抑制し、利便性の向上した洗濯機を提供することができる。
【発明の効果】
【００２０】
本発明の洗濯機は、給水流路の異物捕集用のフィルタ部の掃除後、フィルタ部の付け忘れを抑制することができる。
【図面の簡単な説明】
【００２１】
【図１】本発明の第１の実施の形態における洗濯機の縦断面図
【図２】同洗濯機の給水ホースと給水電磁弁の接続部の分解断面図
【図３】本発明の第２、第３の実施の形態における洗濯機の継手の断面図
【発明を実施するための形態】
【００２２】
第１の発明は、洗濯機本体と、前記洗濯機本体に防振支持された水槽と、前記水槽内に回転自在に配した洗濯兼脱水槽と、前記本体上部に設けられた上部枠体と、前記上部枠体後部に設けられ前記水槽内への給水量を制御する給水電磁弁と、前記洗濯兼脱水槽を回転駆動するモータと、前記モータ、前記給水電磁弁等を制御し、洗い、すすぎ、脱水の一連の工程を逐次制御する制御手段とを備え、前記給水電磁弁の給水口にめねじを形成した電磁弁ねじ部と、前記給水ホースのジョイント部にめねじを形成したジョイントねじ部とを、
外側におねじを形成した継手ねじ部で螺合接続する略円筒状の継手を設けるとともに、前記継手の内部に異物捕集用として網目状の継手フィルタを設ける構成とすることにより、給水流路内のフィルタ部の掃除後、フィルタ部の付け忘れを抑制することができる。
【００２３】
第２の発明は、特に、第１の発明の洗濯機の前記継手フィルタは金属製で形成され、前記継手の内部に圧入されて前記継手と一体構成することにより、前記継手フィルタに付着した汚れを確実に取り除くことができる。
【００２４】
第３の発明は、特に、第１の発明の洗濯機の前記継手フィルタは、金属製で形成され、合成樹脂製の前記継手の内部にインサート成形されることにより、フィルタ部の付け忘れを抑制するとともに、給水時や掃除の際に、前記継手フィルタが継手の下流方向に入り込んでしまうことを抑制できる。
【００２５】
第４の発明は、特に、第１の発明の洗濯機の前記継手フィルタは、合成樹脂製の前記継手と同一樹脂で一体成形されることにより、フィルタ部の付け忘れを抑制するとともに、材料コストも低減することができる。
【００２６】
（実施の形態１）
図１は，本発明の第１の実施の形態における洗濯機の縦断面図を示すものである。
【００２７】
洗濯機本体１１は、内部に水槽１３をサスペンション１２により懸垂防振支持している。水槽１３の内部には、有底円筒形の洗濯兼脱水槽１５を回転自在に配設している。洗濯兼脱水槽１５は、側壁に多数の脱水孔（図示せず）を有するとともに、内周の上部に振動低減用の流体バランサ１７を有し、中央内底部には攪拌翼１８が配設されている。
【００２８】
水槽１３の底部には、伝達機構部１９が配設されている。伝達機構部１９は、内部に洗濯時の減速ギア（図示せず）および洗濯・脱水軸１４の切り換えクラッチ（図示せず）と、脱水時に洗濯兼脱水槽１５を停止するためのブレーキ（図示せず）を内蔵している。
【００２９】
モータ２０は、水槽１３の底部に取り付けられている。切り替えクラッチを制御することで、モータ２０の動力により、攪拌翼１８を回転させたり、攪拌翼１８と洗濯兼脱水槽１５を同時に回転させたりする。
【００３０】
洗濯機本体１１の上部略中央部には、洗濯兼脱水槽１５と外部とを連通するための洗濯物投入取出口２５を形成し、洗濯物投入取出口２５は蓋体２６にて開閉自在に覆われている。
【００３１】
洗濯機本体１１上部の前方側には、各種の入力設定を行ない、設定内容を表示する操作表示部２１を配設している。操作表示部２１の内方には、モータ２０等を制御し、洗い、すすぎ、脱水の一連の行程を逐次制御する制御手段（図示せず）を有する制御装置２７を配している。
【００３２】
洗濯機本体１１上部の後方側の内部には、電磁力により開閉可能な給水電磁弁２００を
配設している。
【００３３】
給水電磁弁２００は、継手１０１（図２参照）を介して、給水ホース１５０と接続される。水道蛇口３０より給水された水は、注水ホース２９、継手１０１、及び給水電磁弁２００を介して水槽１３内に供給される。
【００３４】
図２は、本発明の第１の実施の形態における洗濯機の給水ホースと給水電磁弁との接続部の分解断面図である。
【００３５】
図２において、給水ホース１５０と給水電磁弁２００は、略円筒状の継手１０１を介して螺合接続されている。
【００３６】
給水電磁弁２００の上流側である給水口２０１の内側には、電磁弁ねじ部２０２が形成されている。また、継手１０１の外側には、継手ねじ部１０３が形成されている。電磁弁ねじ部２０２と継手ねじ部１０３により、給水電磁弁２００と継手１０１は螺合接続される。
【００３７】
電磁弁ねじ部２０２の下流側には、電磁弁パッキン２０５が設けられている。給水電磁弁２００と継手１０１が螺合接続された状態で、継手１０１の下端部が電磁弁パッキン２０５を圧縮することにより、給水電磁弁２００からの水漏れを防止する。
【００３８】
また、給水電磁弁２００内部の、電磁弁パッキン２０５の下流側には、給水ホース１５０から供給される水に含まれる鉄錆等の異物が給水電磁弁２００内部に侵入するのを防止するための網目状の電磁弁フィルタ２０３と、給水された水の供給量を制御する流量制御部品２０４が配されている。
【００３９】
給水ホース１５０の下流側端部にはジョイント部１５１が設けられ、ジョイント部１５１の内側には継手１０１の継手ねじ部１０３と螺合するためのジョイントねじ部１５２が形成されている。ジョイントねじ部１５２の上流側には、ジョイントパッキン１５３が設けられている。給水ホース１５０と継手１０１が螺合接続された状態で、継手１０１の上端部がジョイントパッキン１５３を圧縮することにより、給水ホース１５０からの水漏れを防止している。
【００４０】
また、継手１０１の内部には継手フィルタ１０４が設けられている。継手フィルタ１０４は、網目状の金属製であり、継手フィルタ１０４の外径が継手１０１の内径よりもわずかに大きく形成されているため、継手１０１の内部に挿入後は圧入状態となり外れない構造で、継手１０１と継手フィルタ１０４とが一体的になっている。
【００４１】
以上のように構成された洗濯機について、以下、その動作、作用を説明する。
【００４２】
給水ホース１５０と給水電磁弁２００は、継手１０１を介さなければ接続することができない。そのため、水道から給水される水は、必ず継手１０１内の継手フィルタ１０４を通過後、給水電磁弁２００内の電磁弁フィルタ２０３を通過して、注水ホース２９から水槽１３に供給される。
【００４３】
給水電磁弁２００の上流側には、継手フィルタ１０４があるため、継手フィルタ１０４により水中の異物を取り除くことができる。また、継手フィルタ１０４によって取り除くことができなかった異物は、電磁弁フィルタ２０３により取り除くことができる。
【００４４】
継手１０１は着脱可能なので、継手１０１を取り外して手やブラシ等で掃除をすること
で、異物を確実に取り除くことができる。
【００４５】
ここで、給水ホース１５０と給水電磁弁２００は、継手１０１を介さなければ接続することができないため、継手フィルタ１０４の掃除後、継手フィルタ１０４を付け忘れる虞を軽減することができる。そのため、給水時に鉄錆等の汚れが濾過されず、洗濯物等に汚れが付着する虞を低減することができる。
【００４６】
なお、本実施の形態では、給水ホース１５０のジョイントねじ部１５２と給水電磁弁２００の電磁弁ねじ部２０２を、両方ともめねじで構成したが、本発明はこれに限定されるものでなく、給水ホース１５０と給水電磁弁２００が直接接続できず、継手１０１を介して接続する構造であれば、他の連結具構造でもよい。
【００４７】
また、本実施の形態では、電磁力により開閉可能な給水電磁弁２００を用いた例を示したが、本発明はこれに限定されるものでなく、給水ホースからの水を水槽１３内に給水することができれば他の給水弁でもよい。
【００４８】
以上のように、本発明においては、給水ホース１５０と給水電磁弁２００は直接接続できず、継手１０１を介して接続できる構造とし、継手１０１の内部に異物捕集用の継手フィルタ１０４を設ける構成とすることにより、水道から給水される水は、必ず継手１０１内の継手フィルタ１０４を通過することになると共に、継手フィルタ１０４を掃除後、継手フィルタ１０４の付け忘れを抑制することができ、利便性の向上した洗濯機を提供することができる。
（実施の形態２）
図３は、本発明の第２の実施の形態における洗濯機の給水ホースと給水電磁弁の接続部の継手の断面図である。継手以外については、第１の実施の形態と同じ構成であり、説明を省略する。
【００４９】
図３において、給水ホース１５０と給水電磁弁２００を略円筒状の継手１１１を介して螺合締結するために、継手１１１の外側には、継手ねじ部１１３が形成されている。
【００５０】
また、継手１１１の内部に設けられた継手フィルタ１１４は、網目状の金属であり、合成樹脂製の継手１１１の内部にインサート成形によって一体的に取り付けられている。
【００５１】
以上のように、本実施の形態２においては、継手フィルタは、金属製で形成され、合成樹脂製の継手の内部にインサート成形される構成とすることにより、フィルタ部の付け忘れを抑制するとともに、給水時や継手フィルタ１１４の掃除の際に、継手フィルタ１１４が継手１１１の下流方向に入り込んでしまうことを抑制することができる。
（実施の形態３）
図３は、本発明の第３の実施の形態における洗濯機の給水ホースと給水電磁弁の接続部の継手の断面図である。継手以外については、第１の実施の形態と同じ構成であり、説明を省略する。
【００５２】
図３において、給水ホース１５０と給水電磁弁２００を略円筒状の継手１２１を介して螺合締結するために、継手１２１の外側には、継手ねじ部１２３が形成されている。
【００５３】
また、継手１２１の内部に設けられた継手フィルタ１２４は、合成樹脂製の継手１１１と同じ樹脂で一体成形されている。
【００５４】
以上のように、本実施の形態３においては、継手フィルタは、合成樹脂製の継手と同一樹脂で一体成形される構成とすることにより、フィルタの付け忘れを防止できるとともに
、材料コストも低減することができる。
【産業上の利用可能性】
【００５５】
以上のように、本発明にかかる洗濯機は、給水ホースと給水電磁弁は直接接続できず、継手を介して接続できる構造とし、継手の内部に異物捕集用の継手フィルタを設ける構成とすることにより、継手フィルタの掃除後、継手フィルタの付け忘れを防止することが可能となるので、水道から給水する構造を有する他の洗濯機の用途に適用できる。
【符号の説明】
【００５６】
１１  洗濯機本体
１３  水槽
１８  攪拌翼
１５  洗濯兼脱水槽
２０  モータ
３０  水道蛇口
１０１、１１１，１２１  継手
１０３、１１３、１２３  継手ねじ部
１０４，１１４，１２４  継手フィルタ
１５０  給水ホース
１５１  ジョイント部
１５２  ジョイントねじ部
２００  給水電磁弁
２０１  給水口
２０２  電磁弁ねじ部
【図１】
2017158673.tif 000003
【図２】
2017158673.tif 000004
【図３】
2017158673.tif 000005